(57)【特許請求の範囲】
【請求項１】
ピストン（２６）が、薬剤を含む薬剤カートリッジ（１２）に対して第一の軸方向に連続して移動して、薬剤カートリッジ（１２）の第一の端部（１４）を密閉する栓（１８）を薬剤カートリッジ（１２）内に、選択的に駆動して、薬剤を薬剤カートリッジ（１２）の第二の端部（１５）に位置する送達部材（１６）を通して放出する、注射デバイス用駆動機構（１０）で、
基礎部材（２０）；
基礎部材（２０）に対して固定された第一の駆動部材（２２）；
第一の駆動部材（２２）に対して軸方向にそして回転可能に可動の第二の駆動部材（２４）、及び第一の駆動部材（２２）及び第二の駆動部材（２４）に対して軸方向に可動のピストン部材（２６）；
を含んでなる、注射デバイス用駆動機構（１０）であって：
第一の駆動部材（２２）及びピストン部材（２６）に対して回転の第一の方向への第二の駆動部材（２４）の回転が、第二の駆動部材（２４）を、第一の駆動部材（２２）に対して第一の軸方向に移動させ、そしてピストン部材（２６）を、第一の駆動部材（２２）及び第二の駆動部材（２４）の両者に対して第一の軸方向に移動させるように、第二の駆動部材（２４）が、第一の駆動部材（２２）とピストン部材（２６）の間で駆動連結されることを特徴とする、上記駆動機構（１０）。
【請求項２】
第二の駆動部材（２４）が、第一の駆動部材（２２）及びピストン部材（２６）とねじ係合にある、請求項１に記載の駆動機構（１０）。
【請求項３】
第二の駆動部材（２４）が、略環状のスリーブ部材であって、第一の駆動部材（２２）上の対応するねじ山と係合する第一の雌ねじと、ピストン部材（２６）上の対応するねじ山（４６）と係合する第二の雌ねじとを有するスリーブ部材を含んでなる、請求項２に記載の駆動機構（１０）。
【請求項４】
第一の駆動部材（２２）が、第二の駆動部材（２４）の対応する第一の雌ねじと係合する外側表面の周囲に形成されたねじ山を有する、第一の軸方向に伸びる細長い差し込み部分（３６、３６′）を含んでなり、そしてピストン部材（２６）が、ピストンヘッド（５４）、及び第二の駆動部材（２４）の対応する第二の雌ねじと係合する外側表面の周囲に形成されたねじ山を有する軸方向に伸びるピストンロッド（４８）を含んでなる、請求項３に記載の駆動機構（１０）。
【請求項５】
第一の駆動部材（２２）及びピストン部材（２６）がそれぞれ、軸方向に伸びる孔（６２、６４）を有し、前記機構が、第一の駆動部材（２２）の孔（６２）と摺動係合するように適合された第一の部分（５８）、及びピストン部材（２６）の孔（６４）と摺動係合するように適合された第二の部分（６０）を有する支持部材（５６）を更に含んでなり、配置は、支持部材（５６）が第一の駆動部材（２２）に対して、ピストン部材（２６）の回転を阻止する状態にある、請求項１〜４のいずれか１項に記載の駆動機構（１０）。
【請求項６】
配置が、駆動機構（１０）が完全に後退したとき、第一の駆動部材（２２）の差し込み部分（３６）が、実質的に、完全に、第二の駆動部材（２４）内に受け入れられ、そしてピストンロッド（４８）が、実質的に、完全に、第一の駆動部材（２２）の孔（６２）内に受け入れられるように適合される、請求項４に従属する場合の請求項５に記載の駆動機構（１０）。
【請求項７】
第一の駆動部材（２２）が、基礎部材（２０）と一体部材として形成される、請求項１〜６に記載の駆動機構（１０′）。
【請求項８】
少なくとも回転の第一の方向に第二の駆動部材（２４）を選択的に回転させるための駆動手段（３０）を更に含んでなる、請求項１〜７のいずれか１項に記載の駆動機構（１０）。
【請求項９】
第二の駆動部材（２４）を選択的に回転させるための駆動手段（３０）が、少なくとも回転の第一の方向に第二の駆動部材（２４）を駆動させるよう配置された電気モータ（６６、６６′）を含む、請求項８に記載の駆動機構（１０）。
【請求項１０】
複数の細長いスプラインが、第二の駆動部材（２４）の表面上に備えられ、そして、電気モータ（６６、６６′）が、スプライン（５０）を通して第二の駆動部材（２４）を駆動するように適合される、請求項９に記載の駆動機構（１０）。
【請求項１１】
電気モータ（６６、６６′）が、一つ又はそれ以上のギアを通して第二の駆動部材（２４）を駆動する、請求項９又は請求項１０に記載の駆動機構（１０）。
【請求項１２】
電気モータ（６６、６６′）が第二の駆動部材（２４）を、スプライン（５０）と係合するウォーム歯車により駆動する、請求項１０に従属する場合の請求項１１に記載の駆動機構（１０）。
【請求項１３】
電気モータ（６６′）が第二の駆動部材（２４）を、スプライン（５０）と係合する平歯車により駆動する、請求項１０に従属する場合の請求項１１に記載の駆動機構（１０）。
【請求項１４】
使用時の薬剤の送達を調整するように、駆動機構（１０）の操作を制御するための電子制御デバイスを、更に含んでなる、請求項８〜１３のいずれか１項に記載の駆動機構（１０）。
【請求項１５】
請求項１〜１４のいずれか１項に記載の駆動機構（１０）を含んでなる、注射デバイス。
【発明の詳細な説明】
【技術分野】
【０００１】
本発明は、注射デバイス用の駆動機構及びそのような駆動機構を有する注射デバイスに関する。
【０００２】
特に、本発明は、薬剤の調整された量を投与するためのポータブル型注射デバイス用の駆動機構の改良に関する。本発明は、また、改良された駆動機構を導入した注射デバイスに関する。
【背景技術】
【０００３】
注射デバイスは、患者による薬剤の自己投与用として知られている。例えば、糖尿病を病む人は、インスリンの定期的な注射を必要とし、他の人は成長ホルモンの定期的な注射を必要とするかもしれない。注射デバイスは、患者に用量を選択し、その用量を投与することを可能にする。使用者がボタンを押すことのみを必要とし、そうすれば注射デバイスが薬剤の選択用量を投与するようなこのプロセスを自動化することは知られている。これは、患者に投与すべき量を調整し、一方で注射デバイスから薬剤を手動で放出する仕事を取り除く。
【０００４】
これは、高齢者、虚弱者、視力困難を病んでいる人、及び機能を損傷する問題に関連する糖尿病を病んでいる人にとって特に問題である。
【０００５】
薬剤は、通常は、注射デバイス内に位置するカートリッジ内に含まれる。  カートリッジは、注射デバイス用の薬剤を放出するため、カートリッジの第二の端部に向かって駆動する一端部に、栓又はピストンを有する。注射デバイスが、ジャケットポケットの内に、又はハンドバッグ内に困難を伴わずに適合するために十分に小さくすべきであることが課題である。同時に、注射デバイスは、使用されるピストンなどが、カートリッジを駆動し、及びカートリッジの代替を可能とするために、カートリッジから完全に後退させることができるようなサイズである必要がある。
【発明の概要】
【発明が解決しようとする課題】
【０００６】
本発明の目的は、注射デバイス用の駆動機構、及びこれらの矛盾する要求事項を達成する駆動機構を有する注射デバイスを提供することである。
【課題を解決するための手段】
【０００７】
本発明の第一の態様によると、薬剤カートリッジの第二の端部に位置する送達部材を通して薬剤を放出するために、薬剤カートリッジの第一の端部を密閉する栓を、選択的に、薬剤カートリッジ内に駆動させるため、薬剤を含む薬剤カートリッジに対して第一の軸方向に、ピストンを連続して動かせる注射デバイス用の駆動機構、基礎部材を含む駆動機構、基礎部材に対して固定された第一の駆動部材、第一の駆動部材に対して軸方向に、回転可能で、可動の第二の駆動部材、及び第一及び第二の駆動部材に対して軸方向に可動のピストン部材が提供され、第二の駆動部材は、第一の駆動部材に対する回転の第一の方向における第二の駆動部材、及びピストン部材の回転が、第二の駆動部材を、第一の駆動部材に対して第一の軸方向に動かし、そしてピストン部材を、第一及び第二の駆動部材の両者に対して第一の軸方向に動かせるように、第一の駆動部材とピストン部材の間で駆動しながら（drivingly）連結されることを特徴とする。
【０００８】
好ましくは、第二の駆動部材は、第一の駆動部材及びピストン部材とスクリュねじ山係合にある。より好ましくは、第二の駆動部材は、略、環状のスリーブ部材、第一の駆動部材上で対応するねじ山と係合するための、第一の雌ねじを有するスリーブ部材、及びピストン部材上で対応するねじ山と係合するための第二の雌ねじを含む。都合よく、第一の駆動部材は、第二の駆動部材の対応する第一の雌ねじと係合する外側表面の周囲に形成されるねじ山を有する第一の軸方向に伸びる細長い差し込み部分を含み、そして、ピストン部材は、ピストンヘッド、及び第二の駆動部材の対応する第二の雌ねじと係合するための外側表面の周囲に形成されたねじ山を有する軸方向に伸びるピストンロッドを含む。
【０００９】
特に好ましい実施態様において、第一の駆動部材及びピストン部材は、それぞれ、軸方向に伸びる孔、更に、ピストン部材の孔と摺動係合するように適合された第一の駆動部材及び第二の部分の孔と摺動係合するように適合された第一の部分を有する支持部材を含む機構、支持部材がピストン部材を第一の駆動部材に対して回転することを阻止する配置を有する。より好ましくは、構成（arrangement）は、駆動機構が完全に後退したとき、第一の駆動部材の差し込み部分は、実質的に、完全に、第二の駆動部材に受け入れられ、そしてピストンロッドは、実質的に、完全に、第一の駆動部材の内側の孔内に受け入れられるように適合される。
【００１０】
好ましくは、第一の駆動部材は、基礎部材との一体化した部材として形成できる。
【００１１】
好ましくは、駆動機構は、更に、少なくとも回転の第一の方向において、第二の駆動部材を選択的に回転するための駆動手段を含む。
【００１２】
より好ましくは、第二の駆動手段を選択的に回転するための駆動手段は、回転の少なくとも第一の方向において、第二の駆動部材を駆動するよう配置された電気モータを含む。
【００１３】
複数の細長いスプラインは、第二の駆動部材の表面上に提供されてもよく、そして電気モータは、スプラインを通じて第二の駆動部材を駆動するように適合されてもよい。
【００１４】
好ましくは、電気モータは、一つ又はそれ以上のギアを通じて第二の駆動部材を駆動する。一つの好ましい実施態様において、電気モータは、スプラインと係合するウォーム歯車を用いて、第二の駆動部材を駆動する。あるいは、電気モータはスプラインと係合する平歯車（spur gear）を用いて、第二の駆動部材を駆動する
【００１５】
好ましくは、駆動機構は、更に、使用時に薬剤の送達を規制するために、駆動機構の操作を調整するための電子調整デバイスを含む。
【発明を実施するための形態】
【００１６】
本発明の第二の態様に従って、本発明の第一の態様に一致する駆動機構を含む注射デバイスが提供される。
【００１７】
本発明は、添付の図面を参照し、実例のみを用いて、説明される：
【図面の簡単な説明】
【００１８】
【図１】本発明の第一実施態様に基づく駆動機構及び薬剤カートリッジを含む注射デバイスの部分の概略の平面図を示し、ここで、駆動機構は完全に後退し、そして、薬剤カートリッジは満杯である。
【図２】図１の注射デバイスの平面図であり、駆動機構は完全に伸び、そして薬剤カートリッジは空であることを示している。
【００１９】
類似の参照番号は、注射デバイスの同一部分を参照するために使用される。初めに図１及び２を参照して、本発明の第一の実施態様に一致した、一般に１０で示す駆動機構、薬剤カートリッジ１２を含む注射デバイスの部分を見ることができる。
【００２０】
明確にするために、薬剤カートリッジは、駆動機構の詳細がカートリッジ内で見ることができるように、全ての図面において透明であるように示される。実際には薬剤カートリッジは使用中、透明である必要はないことが当然である。
【００２１】
図示されていないが、当業者は、注射デバイスは、主ハウジング、及び主ハウジングの第一の端部に固定できる中空ニードル形状の送達部材を含むニードルユニットを含むことは理解するであろう。第一の端部１４及び第二の端部１５を有する薬剤カートリッジ１２は、主ハウジング内に貯蔵できる。ニードルユニットが所定の位置にあるとき、ニードルユニットは、薬剤カートリッジ１２の第二の端部１５で、可撓性膜１６を穿孔する。移動可能な栓１８は、カートリッジが図１で示す通り満杯であるとき、薬剤カートリッジ１２の第一の端部に位置する。カバー（また、図示されていないが）は、ニードルユニットの損傷、及びニードルによる不注意の突き刺しから使用者を守るため、主ハウジングの第一の端部上に提供される。カバーは、また、注射デバイスのための個別の外観を提供する。
【００２２】
駆動機構は、基礎部材２０、第一の駆動部材２２、第二の駆動部材２４、ピストン部材２６、調整デバイス（図２において、２８で概略を示す）、及び一般的に３０で示す駆動手段を含む。基礎部材２０は、注射デバイスの主ハウジングの部分を形成することができ、そして、平面部分３２、第一の駆動端部２２の一端を支えるため平面部分３２から突き出る取付けタブ３４、及び第二の駆動部材２４を摺動しながら支える環状ガイド３５を有する。
【００２３】
第一の駆動部材２２は、第一の駆動部材が基礎部材に対して軸方向に、及び回転方向に、両方固定されるように、基礎部材の取付けタブ３４に取付けることができる一端で取付け部分３３を有する。第一の駆動部材は、また、薬剤カートリッジに向かって取付け部分３３から軸方向に伸びる差し込み部分３６を有する。スクリュねじ山３８は、差し込み部分３６のほぼその長さ全体に亘って外側表面上に形成される。
【００２４】
第二の駆動部材２４は、略環状形状であり、そしてその長さ全体に亘って伸びる第一の孔部分４０を有する。第一の内部スクリュねじ山（図示されていないが）は、第一の駆動部材２２の差し込み部分３６の外側表面上で、ねじ山３８と係合する第一の孔部分の表面上に形成される。構成は、第二の駆動部材２４の回転が、ねじ山３８に沿って薬剤カートリッジ１２の第二の端部１５に向かう第一の駆動部材に対して軸方向に前進する第二の駆動部材をもたらすようになされる。
【００２５】
薬剤カートリッジ１２に最も近接した第二の駆動部材２４の端部は、第一の孔部分４０より小さい直径の第二の孔部分４４を形成する壁４２により、部分的に遮断される。第二の雌ねじ（また、図示されていないが）は、ピストン部材２６のピストンロッド４８上に形成される対応するねじ山４６と係合するように第二の孔部分４４の表面上に形成される。ピストンロッド４８上のスクリュねじ山４６、及び第二の駆動部材の第二の孔部分４４における第二の雌ねじは、ピストン部材に対する第二の駆動部材の回転が、ピストン部材２６を、第二の駆動部材２４に対して薬剤カートリッジの第二の端部１５に向かって軸方向に前進させるように配置される。
【００２６】
なお、第一の駆動部材２２の差し込み部分３６上のねじ山３８及びピストンロッド４８上のねじ山４６は反対側にある。
【００２７】
第二の駆動部材２４の外側表面は、第二の駆動部材２４を支え、そして軸方向におけるその運動を誘導するよう作用する基礎部材の環状ガイド３５の内側に摺動しながら受け入れられる。複数の軸方向のスプラインは、以下詳細に説明するように、第二の駆動部材を回転させるために、駆動部材３０の部分を形成するウォーム歯車と係合するよう第二の駆動部材の外側表面上に提供される。
【００２８】
ピストン部材２６は、栓１８と接触するために薬剤カートリッジ１２内に受け入れることができるピストンヘッド５４を含む。ピストンロッド４８は、第一の駆動部材２２に向かってピストンヘッド５４から軸方向に伸び、そして、上記で説明した通り、第二の駆動部材２４の第二の孔部分４４とスクリュねじ込み係合になる。
【００２９】
細長い支持部材５６は第一の駆動部材、及びピストン部材と相互連結され、そして、第一の相対的短い部分５８及び第二の相対的長い部分６０を有する。第一の部分５８は、第一の駆動部材２２の差し込み部分３６に形成された孔６２内に、摺動しながら受け入れられるような寸法になっている。支持部材５６の第二の部分６０は、ピストン部材４８において形成された孔６４内に、摺動しながら受け入れられるような寸法になっている。支持部材の第一の部分５８のプロファイル及び第一の駆動部材における孔６２は、支持部材５６が第一の駆動部材２２に対して回転できなくなるように選択される。同様に、支持部材５６の第二の部分６０の外側のプロファイル及びピストンロッドにおける孔６４は、ピストン部材２６が支持部材５６に対して回転できなくなるように選択される。このように、支持部材５６は、第二の駆動部材２４が回転するとき、ピストン部材２６が第一の駆動部材に対して回転することを阻止する内部キーとして作用する。
【００３０】
第一の駆動部材における孔６２、及びピストンロッド４８は、駆動機構が完全に後退したとき、ピストンロッド４８が、孔６２内で受け入れられるようなサイズである。第二の駆動部材２４の回転は、駆動手段３０により実施される。駆動手段３０は、電気モータ６６、一般に６８で提示されるギアトレーン（図では示されていないが）、及びモータ６６に動力を提供するバッテリ形状の動力源、及びケーブルによる調整デバイス（図示されていないが）を含む。
【００３１】
電気モータ６６は、第二の駆動部材２４に隣接し、そして、第二の駆動部材２４の回転軸に、略直角に配置されたその出力シャフトの軸を有する基礎部材２０に搭載される。駆動は、電気モータ６６から、電気モータ６６の出力シャフトに取り付けられた第一の相対的に小さいギアホィール、第一のギアホィールを備えたメッシュにおける第二の相対的に大きいギアホィール、及び第二のギアホィールと回転するために搭載されたウォーム歯車を含むギアトレーン６８により第二の駆動部材に伝達される。ウォーム歯車は、電気モータ６６の出力シャフトの回転軸に、略平行である軸周りの回転に対して、基礎部材２０の環状ガイド３５から突出する一対のフランジにより支えられる。この端部に対して、ウォーム歯車は、いずれかの端部で差し込み部分を有し、それぞれの差し込み部分は、個別の一つのフランジの孔に受け入れられる。ウォーム歯車は、環状ガイド３５の壁の開口部を通して第二の駆動部材２４上のスプラインと係合する。
【００３２】
第二のギアホィールの部分は、ウォーム歯車を第二の駆動部材２４に隣接して位置できるように、環状ガイド３５の基礎部に提供される凹部に適用される。第二の駆動部材２４は、ギアトレーンにおいて最終ギアを効率的に形成することが分かるであろう。
【００３３】
第一の方向におけるモータ６６のタイル出力シャフトの回転は、第一のギアホィール、第二のギアホィール、ウォーム歯車及びスプラインを経由して伝達され、第二の駆動部材２４を、第一の駆動部材２２に対して回転させることになることは理解できるであろう。第二の駆動部材２４の回転は、第二の駆動部材２４を、第一の駆動部材２２の差し込み部分３６上のねじ山３８に沿って薬剤カートリッジの第二の端部１５に向かって軸方向に、又は直線的に前進させる結果になり、そして、同時に、ピストン部材２６を、第二の駆動部材２４及び第一の駆動部材２２の両者に対して薬剤カートリッジの第二の端部１５に向かって、軸方向に前進させる。
【００３４】
ピストン部材２６が、薬剤カートリッジの第二の端部１５に向かって軸方向に前進するにつれて、ピストンヘッド５４が、薬剤を放出するために薬剤カートリッジの第二の端部に向かって栓を動かすように栓１８と接触する。電気モータ６６の適切な調整により、ピストン部材２６は、事前に決定された量により、調整された方法で薬剤の事前に決定された用量を放出するために、薬剤カートリッジの第二の端部１５に向かって前進させることができる。
【００３５】
第一と反対の第二方向におけるモータ６６の出力シャフトの回転が、反対位置において第一の駆動部材２２に対して第二の駆動部材２４を回転させることになる。これは、ピストン部材２６及び第二の駆動部材２４を薬剤カートリッジの第二の端部１５から離れて軸方向に動かし、その結果、駆動機構を後退させる。電気モータの操作、それによる、第二の駆動部材２４及びピストン部材２６の運動は、調整デバイス２８により調整される。デバイス２８は、マイクロプロセッサ（図示されていないが）、及びそれを通して情報が使用者に提示できるディスプレイを有するユーザーインターフェース、及び使用者が指示事項、例えば、薬剤（また、図示されていないが）の必要用量の設定を入力することができる入力手段を含んでもよい。
【００３６】
注射デバイスの操作が、ここで説明される。
【００３７】
図１において、注射デバイスは所定位置で薬剤カートリッジ１２と共に示される。薬剤カートリッジ１２は、栓１８がカートリッジの第一の端部１４に近接して位置し、そして、駆動手段は完全に後退するので満杯である。この位置において、第一の駆動部材の差し込み部分３６は、ほとんど完全に、第二の駆動部材２４の内側に受け入れられ、そして、ピストンロッド４８は、ほとんど完全に、第一の駆動部材の孔６２の内側に受け入れられ、そして支持部材５６は、第一の駆動部材の孔６２、６４及びピストンロッド４８内に、それぞれ収容される。
【００３８】
使用者が薬剤の用量を投与しようとするとき、必要とされる注射デバイスを準備し、そして  ユーザディスプレイ上に、例えば、カートリッジ内に利用可能な薬剤の量などの種々の情報を提示する調整デバイスを起動させる。その後、使用者は、薬剤の必要用量を設定するための入力手段を使用できる。事前設定したアルゴリズムに従って、調整デバイスは時間の長さを決定し、モータ６６は、必要用量を送達する量により、ピストン部材をカートリッジの第二の端部１５に向かって軸方向に動かすために第一の方向において操作する必要がある。使用者が投与すべき用量に対して準備ができていることを指示したとき、調整デバイスは、必要な時間量の間モータを駆動させることにより送達を生じさせる。
【００３９】
上記の順序は、薬剤カートリッジが空になるまで、又は事前決定された最小用量を送達するに不十分な薬剤を有することにまで、使用者に対して薬剤を投与するために何回も繰り返すことができる。この段階において、駆動機構は、図２で示す通り、最大投与位置において、完全に伸びる。駆動機構１０を再設定し、そしてタイル薬剤カートリッジの代替を可能にするために、図１に示す通り、駆動機構が、完全に、後退するまで、ピストン部材２６及び第二の駆動部材２４を、薬剤カートリッジ１２の第二の端部１５から離れた方向において軸方向に動かすように、電気モータ６６は逆方向に操作する。これは、使用者から、又はそれが、薬剤カートリッジ１２が空であり、又は事前設定された最小用量を送達するに不十分な薬剤を有することを検出するとき、自動的に、調整デバイスによる入力の応答として実施できる。空の薬剤カートリッジ１２は、その後、除去し、そして新しいカートリッジに代替することができる。
【００４０】
本発明に合致した駆動機構１０の更なる実施態様は、図１及び２を参照して、ここに説明される。同一の参照番号は、駆動機構１０において、同一の機能を有する部分を命名するために使用される。
【００４１】
主な差異は：
第一の駆動部材２２の差し込み部分３６は、基礎部材２０の一体部材として形成され；
環状ガイド３５は、また、第一の駆動部材の差し込み部分３６との一体部分として形成され；
代替駆動手段３０は、第二の駆動部材を回転させるために使用する；
ことである。
【００４２】
駆動機構１０において、第一の駆動部材の差し込み部分３６は、基礎部材２０上の取付けタブ３４と一体となって形成される。また、タブ３４と一体となって形成され、そして差し込み部分３６を取り巻くのは、環状ガイド３５である。環状ガイド３５は、第二の駆動部材２４は、第二の駆動部材２４が環状ガイド３５と差し込み部分３６の間で形成されるギャップに摺動しながら受け入れられるように、差し込み部分３６から離れている。
【００４３】
駆動手段３０は、モータの出力シャフトの回転軸が、実質的に、第二の駆動部材２４の回転軸に平行であるように、基礎部材２０に取り付けられた電気モータ６６を含む。駆動は、電気モータから平歯車シリーズを経由して第二の駆動部材２４へ伝達される。
【００４４】
平歯車シリーズの大半は、第二の駆動軸２４の回転軸に、実質的に、平行に心合わせした回転軸を有するが、なお、シリーズの最終平歯車９０の回転軸は、第二の駆動部材２４の回転軸に対してある角度をなして配置される。最終平歯車は、また、環状ガイド３５の一端から突出したフランジ内の孔において回転可能に支持される栓を有する。
【００４５】
上記で議論した差異は別にして、駆動機構１０は構築され、そして、図１〜２に関連して上記で説明したガイド機構１０と同様の手法で操作される。
【００４６】
本発明の駆動構成は、完全に後退したとき、非常にコンパクトであるが、しかし、最大投与位置まで栓１８を動かすために伸ばすことが可能であることは理解できるであろう。更にその上、好ましい実施態様に従って、内部キー又は支持部材５６は、ピストン部材２６を回転から阻止するために使用できる。
【００４７】
この構成は、追加の外部スリーブが、ピストン部材、又は他の部材の回転を阻止するために使用される注射デバイス用の公知のテレスコピックな、ねじ山付き駆動機構で使用されているものより簡単である。
【００４８】
本明細書で使用する用語「薬剤」は、少なくとも１つの薬学的に活性な化合物を含む医薬製剤を意味し、
ここで一実施態様において、薬学的に活性な化合物は、最大で１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は予防のための少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００４９】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２８位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００５０】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００５１】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ2配列のペプチドを意味する。
【００５２】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ2；
Ｈ−（Ｌｙｓ）５−ｄｅｓＰｒｏ３６，ｄｅｓＰｒｏ３７エキセンジン−４（１−３９）−ＮＨ2；
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−４（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４Ｔｒｐ（Ｏ２）２５，Ａｓｐ２８］エキセンジン−４（１−３９）；
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）；
ｄｅｓＰｒｏ３６［ＩｓｏＡｓｐ２８］エキセンジン−４（１−３９）；
ｄｅｓＰｒｏ３６［Ｍｅｔ（Ｏ）１４，Ａｓｐ２８］エキセンジン−４（１−３９）；
ｄｅｓＰｒｏ３６［Ｍｅｔ（Ｏ）１４，ＩｓｏＡｓｐ２８］エキセンジン−（１−３９）；
ｄｅｓＰｒｏ３６［Ｔｒｐ（Ｏ２）２５，Ａｓｐ２８］エキセンジン−４（１−３９）；
ｄｅｓＰｒｏ３６［Ｔｒｐ（Ｏ２）２５，ＩｓｏＡｓｐ２８］エキセンジン−４（１−３９）；
ｄｅｓＰｒｏ３６［Ｍｅｔ（Ｏ）１４，Ｔｒｐ（Ｏ２）２５，Ａｓｐ２８］エキセンジン−４（１−３９）；
ｄｅｓＰｒｏ３６［Ｍｅｔ（Ｏ）１４，Ｔｒｐ（Ｏ２）２５，ＩｓｏＡｓｐ２８］エキセンジン−４（１−３９）；
ここで、基−Ｌｙｓ６−ＮＨ2は、エキセンジン−４誘導体のＣ−末端と連結してもよく；
【００５３】
又は以下の配列のエキセンジン−４誘導体：
Ｈ−（Ｌｙｓ）６−ｄｅｓＰｒｏ３６［Ａｓｐ２８］エキセンジン−４（１−３９）−Ｌｙｓ６−ＮＨ2；
ｄｅｓＡｓｐ２８，Ｐｒｏ３６，Ｐｒｏ３７，Ｐｒｏ３８エキセンジン−４（１−３９）−ＮＨ2；
Ｈ−（Ｌｙｓ）６−ｄｅｓＰｒｏ３６，Ｐｒｏ３８［Ａｓｐ２８］エキセンジン−４（１−３９）−ＮＨ2；
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ2；
ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ2；
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ2；
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ2；
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ2；  
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓ  Ｐｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ2；
ｄｅｓＭｅｔ（Ｏ）１４，Ａｓｐ２８，Ｐｒｏ３６，Ｐｒｏ３７，Ｐｒｏ３８  エキセンジン−４（１−３９）−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ2；
Ｈ−Ｌｙｓ６−ｄｅｓＰｒｏ３６［Ｍｅｔ（Ｏ）１４，Ｔｒｐ（Ｏ２）２５，  Ａｓｐ２８］エキセンジン−４（１−３９）−Ｌｙｓ６−ＮＨ2；
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ2；
Ｈ−（Ｌｙｓ）６−ｄｅｓ  Ｐｒｏ３６，Ｐｒｏ３７，Ｐｒｏ３８［Ｍｅｔ（Ｏ）１４，Ａｓｐ２８］エキセンジン−４（１−３９）−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ2；
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ2；
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ2；
又は前述のいずれかのエキセンジン−４誘導体の薬学的に許容可能な塩若しくは溶媒和物；
から選択される。
【００５４】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらの拮抗剤である。
【００５５】
多糖類としては、例えば、ヒアルロン酸、ヘパリン、低分子量ヘパリン、又は超低分子量ヘパリン、若しくはその誘導体などのグルコアミノグリカン、又はスルホン化された、例えば、上記多糖類のポリスルホン化形体、及び／又は、薬学的に許容可能なその塩がある。ポリスルホン化低分子量ヘパリンの薬学的に許容可能な塩の例としては、エノキサパリンナトリウム塩がある。
【００５６】
薬学的に許容可能な塩は、例えば、酸付加塩及び塩基塩がある。酸付加塩としては、例えば、ＨＣｌ又はＨＢｒ塩がある。塩基塩は、例えば、アルカリ又はアルカリ土類金属、例えば、Ｎａ+、又は、Ｋ+、又は、Ｃａ2+から選択されるカチオン、又は、アンモニウムイオンＮ+（Ｒ１）（Ｒ２）（Ｒ３）（Ｒ４）を有する塩であり、ここで、Ｒ１〜Ｒ４は互いに独立に、水素；場合により置換されるＣ１−Ｃ６アルキル基；場合により置換されるＣ２−Ｃ６アルケニル基；場合により置換されるＣ６−Ｃ１０アリール基、又は場合により置換されるＣ６−Ｃ１０ヘテロアリール基である。薬学的に許容される塩の更なる例は、“Remington's Pharmaceutical Sciences”17編、Alfonso R.Gennaro（編集），Mark
Publishing社，Easton, Pa., U.S.A.,1985 及び Encyclopedia of Pharmaceutical Technologyに記載されている。
【００５７】
薬学的に許容可能な溶媒和物としては、例えば、水和物がある。
【図１】
0005701871.tif 000002
【図２】
0005701871.tif 000003